(57)【要約】  【課題】着用者の側方からも極めて視認しやすく、かつ、着用したときに着用者が非常に動作しやすい光反射ベストとする。  【解決手段】本発明の光反射ベスト１０は、胴着部１２と、胴着部１２に接続された袖部１４と、胴着部１２と袖部１４とが重なる第１重なり部１６と、胴着部１２と袖部１４とを第１重なり部１６で互いに滑らせる第１滑り手段（滑り部４０，４０）と、袖部１４に接続された着用者１１の腕２０を囲む腕囲部２２と、袖部１４と腕囲部２２とが重なる第２重なり部２４と、袖部１４と腕囲部２２とを第２重なり部２４で互いに滑らせる第２滑り手段（滑り部４２，４２）と、胴着部１２に設けられた第１光反射部２６と、袖部１４または腕囲部２２の少なくとも一方に設けられた第２光反射部２８と、を有するものである。【選択図】図１
2007277731.tif 000002
【特許請求の範囲】
【請求項１】
胴着部と、
上記胴着部に接続された袖部と、
上記胴着部と上記袖部とが重なる第１重なり部と、
上記胴着部と上記袖部とを上記第１重なり部で互いに滑らせる第１滑り手段と、
上記胴着部に設けられた第１光反射部と、
上記袖部に設けられた第２光反射部と、
を有することを特徴とする光反射ベスト。
【請求項２】
胴着部と、
上記胴着部に接続された袖部と、
上記胴着部と上記袖部とが重なる第１重なり部と、
上記胴着部と上記袖部とを上記第１重なり部で互いに滑らせる第１滑り手段と、
上記袖部に接続された着用者の腕を囲む腕囲部と、
上記袖部と上記腕囲部とが重なる第２重なり部と、
上記袖部と上記腕囲部とを上記第２重なり部で互いに滑らせる第２滑り手段と、
上記胴着部に設けられた第１光反射部と、
上記袖部または上記腕囲部の少なくとも一方に設けられた第２光反射部と、
を有することを特徴とする光反射ベスト。
【請求項３】
前記腕囲部は、前記着用者の腕が通過可能な分離部を有することを特徴とする請求項２記載の光反射ベスト。
【請求項４】
前記腕囲部は、前記袖部の先端で前記袖部と連通しており、
前記腕囲部が前記袖部の方向に折り返された状態で着用されることを特徴とする請求項２または３項記載の光反射ベスト。
【請求項５】
前記袖部は、前記胴着部の裏側に接続され、
前記第１滑り手段は、前記胴着部の裏側および前記袖部の表側に設けられた滑り部を有することを特徴とする請求項１から４のいずれか１項記載の光反射ベスト。
【請求項６】
前記袖部は、着用者の腕の上部を覆う円筒の一部形状を有すると共に、上記着用者の腕に沿った両端に袖支持軸を有することを特徴とする請求項１から５のいずれか１項記載の光反射ベスト。
【請求項７】
前記袖支持軸は、切り込みを入れたゴム片を有することを特徴とする請求項６記載の光反射ベスト。
【請求項８】
前記胴着部は、前方胴着部と後方胴着部とを備え、
前記胴着部の少なくとも一方の脇に設けられ、表側面に第３光反射部を備える傾斜脇覆部を有し、
上記傾斜脇覆部の上記表側面の露出面積は、変更可能とされ、
上記前方胴着部と上記後方胴着部との重なり部である第３重なり部の面積が変更されるのに伴って、前記胴着部のサイズが変更されることを特徴とする請求項１から７のいずれか１項記載の光反射ベスト。
【請求項９】
前記第３光反射部は、複数の光反射片で形成された標識と、上記標識を覆う透明被膜と、を有することを特徴とする請求項８記載の光反射ベスト。
【請求項１０】
前記第１光反射部または前記第２光反射部の少なくとも一方は、複数の光反射片で形成された標識と、上記標識を覆う透明被膜と、を有することを特徴とする請求項１から８のいずれか１項記載の光反射ベスト。
【発明の詳細な説明】
【技術分野】
【０００１】
本発明は、光を反射してその存在を視認させる光反射ベストに関する。
【背景技術】
【０００２】
夜間になると、道路で交通整理、工事もしくは清掃等をする者、または、交通事故の処理もしくは交通違反の取り締まり等を行う警察官などは、自己の存在を通行者または運転者などに視認させるために、光を反射させる光反射ベストを着用する（例えば、特許文献１参照）。
【０００３】
【特許文献１】特開平９−２６８４０６号公報（要約等）
【発明の開示】
【発明が解決しようとする課題】
【０００４】
特許文献１記載の光反射ベストでは、着用者の前方および後方の光反射部は視認しやすいものの、着用者の側方の光反射部は、腰の周囲のみに存在するため視認しにくい。さらに、着用者が腕を下ろした状態では、着用者の腕と着用者の腰の周囲に設けられた光反射部とが重なってしまうため、着用者の側方の光反射部が視認できない場合がある。
【０００５】
光反射ベストの着用者の側方からの視認性を向上させるために、光反射部を備える袖を光反射ベストに付加することも考えられる。しかし、単に、光反射ベストに光反射部を備える袖を付加しただけでは、着用者が動作しにくくなってしまう。
【０００６】
本発明は、これらの問題に鑑みてなされたものであり、着用者の側方からも視認しやすく、かつ、着用したときに着用者が動作しやすい光反射ベストを提供することを目的とする。
【課題を解決するための手段】
【０００７】
上述の目的を達成するため、本発明の光反射ベストは、胴着部と、胴着部に接続された袖部と、胴着部と袖部とが重なる第１重なり部と、胴着部と袖部とを第１重なり部で互いに滑らせる第１滑り手段と、胴着部に設けられた第１光反射部と、袖部に設けられた第２光反射部と、を有するものである。
【０００８】
袖部に設けられた第２光反射部によって、光反射ベストは、着用者の側方からも視認しやすくなる。また、第１滑り手段によって、胴着部と袖部とが重なる第１重なり部で胴着部と袖部とが互いに滑るため、着用者が腕を動かしたときに、袖部が滑らかに動く。この結果、着用者は、腕をスムーズに動かすことができる。
【０００９】
他の発明の光反射ベストは、胴着部と、胴着部に接続された袖部と、胴着部と袖部とが重なる第１重なり部と、胴着部と袖部とを第１重なり部で互いに滑らせる第１滑り手段と、袖部に接続された着用者の腕を囲む腕囲部と、袖部と腕囲部とが重なる第２重なり部と、袖部と腕囲部とを第２重なり部で互いに滑らせる第２滑り手段と、胴着部に設けられた第１光反射部と、袖部または腕囲部の少なくとも一方に設けられた第２光反射部と、を有するものである。
【００１０】
袖部または腕囲部の少なくとも一方に設けられた第２光反射部によって、光反射ベストは、着用者の側方からも視認しやすくなる。また、第１滑り手段によって、胴着部と袖部とが重なる第１重なり部で胴着部と袖部とが互いに滑るため、着用者が腕を動かしたときに、袖部が滑らかに動く。この結果、着用者は、腕をスムーズに動かすことができる。さらに、第２滑り手段によって、袖部と腕囲部とが重なる第２重なり部で袖部と腕囲部とが互いに滑るため、着用者が腕を動かしたときに、袖部が滑らかに動く。
【００１１】
腕囲部は、着用者の腕が通過可能な分離部を有する構成を採用することができる。この構成によって、光反射ベストの着用および脱衣が容易となる。また、分離部に重なり合う部分を設けることによって、着用者の腕の太さ、または、着用季節（冬季は、防寒衣料の上に光反射ベストを着用することがある）に応じた腕囲部のサイズ調整が可能となる。
【００１２】
腕囲部は、袖部の先端で袖部と連通しており、腕囲部が袖部の方向に折り返された状態で着用される構成を採用することができる。このように、腕囲部が袖部と連通している構成によって、光反射ベストの製造工程において、腕囲部を袖部に接続する作業、例えば、縫着作業が不要となる。
【００１３】
袖部は、胴着部の裏側に接続され、第１滑り手段は、胴着部の裏側および袖部の表側に設けられた滑り部を有する構成を採用することができる。この構成によって、簡易な構成によって、着用者が腕を動かしたときに、袖部が滑らかに動くようにするこができる。
【００１４】
袖部は、着用者の腕の上部を覆う円筒の一部形状を有すると共に、着用者の腕に沿った両端に袖支持軸を有する構成を採用することができる。この構成によって、袖部に第２光反射部が設けられている場合には、着用者が腕を動かしても、袖部に設けられた第２光反射部が型崩れを起こすことがほとんどない。また、着用者が腕を動かしたときに、袖部に設けられた第２光反射部が折れ曲がらないので、第２光反射部が胴着部（腕囲部を有する光反射ベストでは、胴着部および腕囲部）の内側に滑らかに入り込むことができる。この結果、第２光反射部が胴着部の内側で滑る構成、または、第２光反射部が胴着部および腕囲部の内側で滑る構成となっている光反射ベストでは、着用者が腕をスムーズに動かすことができる。
【００１５】
袖支持軸は、切り込みを入れたゴム片を有する構成を採用することができる。ゴム片の切り込み方向、切り込み深さ、または、切り込み間隔等を調整することによって、第２光反射部の両端が、着用者の腕の内方向には曲がりにくく、着用者の腕の外方向には曲がりやすい構造にすることができる。
【００１６】
胴着部は、前方胴着部と後方胴着部とを備え、胴着部の少なくとも一方の脇に設けられ、表側面に第３光反射部を備える傾斜脇覆部を有し、傾斜脇覆部の表側面の露出面積は、変更可能とされ、前方胴着部と後方胴着部との重なり部である第３重なり部の面積が変更されるのに伴って、胴着部のサイズが変更される構成を採用することができる。
【００１７】
この構成によって、着用者の体の大きさ、または、着用季節に応じて、簡易に、光反射ベストのサイズを調整することができる。また、光反射部を備える傾斜脇覆部を有するため、光反射ベストの側方からの視認性を向上させることができる。
【００１８】
第３光反射部は、複数の光反射片で形成された標識と、標識を覆う透明被膜と、を有する構成を採用することができる。また、第１光反射部または第２光反射部の少なくとも一方は、複数の光反射片で形成された標識と、標識を覆う透明被膜と、を有する構成を採用することができる。
【００１９】
この構成によって、第１光反射部、第２光反射部または第３光反射部に照射された光は、光反射片によって各種方向に乱反射されるため、光反射片で形成された標識が認識しやすくなると共に、光反射ベストの視認性を向上させることができる。
【発明の効果】
【００２０】
本発明によれば、着用者の側方からも極めて視認しやすく、かつ、着用したときに着用者が非常に動作しやすい光反射ベストが得られる。
【発明を実施するための最良の形態】
【００２１】
以下、本発明の実施の形態に係る光反射ベストについて、図面を参照しながら説明する。
【００２２】
まず、図１から図１０を参照しながら、本発明の実施の形態に係る光反射ベストの構成について説明する。
【００２３】
図１は、光反射ベスト１０の正面図である。図２は、光反射ベスト１０の背面図である。なお、光反射ベスト１０を着用している着用者１１は、図１および図２において、一点鎖線で示されている。光反射ベスト１０は、図１および図２に示すように、胴着部１２と、袖部１４と、胴着部１２と袖部１４とが重なる第１重なり部１６と、着用者１１の腕２０を囲む腕囲部２２と、袖部１４と腕囲部２２とが重なる第２重なり部２４と、胴着部１２に設けられた第１光反射部２６と、袖部１４および腕囲部２２に設けられた第２光反射部２８と、肩章２９と、ポケット３０と、各種の縁部３１と、を有している。
【００２４】
光反射ベスト１０は、第１重なり部１６で胴着部１２と袖部１４とを互いに滑らせる第１滑り手段として、胴着部１２および袖部１４に設けられた滑り部４０，４０を有している（図８参照）。また、光反射ベスト１０は、第２重なり部２４で袖部１４と腕囲部２２とを互いに滑らせる第２滑り手段として、袖部１４と腕囲部２２に設けられた滑り部４２，４２を有している（図９参照）。
【００２５】
胴着部１２は、柔軟なメッシュ素材から構成されている。このため、胴着部１２の通気性が良く、夏に着用した場合でも、暑さを緩和することができる。また、胴着部１２は、図１から図３に示すように、袖がなく、脇の部分が切り欠かれている。このため、着用者１１は、胴４４または腕２０等を動かしやすい。
【００２６】
図３は、光反射ベスト１０を着用者１１の左方向から見たときの側面図である。なお、図３では、構成部品の一部を省略してある。胴着部１２は、図１から図３に示すように、両脇付近で前方胴着部４６と後方胴着部４８とに分かれている。前方胴着部４６は、着用者１１の胸部および腹部付近で、面ファスナーによって接合および分離自在に構成されている（図１参照）。本実施の形態に係る光反射ベスト１０では、前方胴着部４６が、面ファスナーによって接合および分離自在に構成されているが、これに代えて、ベルト、ボタンまたはスナップ等によって接合および分離自在に構成されても良い。なお、本明細書中の「前」とは、着用者１１の正面側をいい、「後」とは、着用者１１の背面側をいう。
【００２７】
前方胴着部４６および後方胴着部４８は、図１または図２に示すように、それぞれの表面に第１光反射部２６を備えている。第１光反射部２６は、光反射板５０と光乱反射部５２とを備えている。光反射板５０は、塩化ビニル樹脂、ポリエステル樹脂または表面に金属酸化物を焼付けたガラス等の光反射性を有する材質から作製されている。胴着部１２がその前表面および後表面に光反射板５０を備えているため、光反射ベスト１０は、前方および後方からの再帰反射視認性を有する。
【００２８】
光乱反射部５２は、複数の光反射片５４で形成された標識５６と、この標識５６を覆う透明被膜とを備えている。第１光反射部２６に照射された光は、光反射片５４によって各種方向に乱反射されるため、光反射片５４で形成された標識５６が認識しやすくなる。また、光乱反射部５２と光反射板５０との相乗効果により光反射ベスト１０の視認性を向上させることができる。また、光反射ベスト１０が光反射片５４を覆う透明被膜を有するため、光反射片５４の光反射率をほとんど低下させずに、光反射片５４が剥離することを抑えることができる。
【００２９】
光反射片５４は、着色されたアクリル樹脂、ポリカーボネート樹脂またはＡＢＳ（Ａｃｒｙｌｏｎｉｔｒｉｌｅ  Ｂｕｔａｄｉｅｎｅ  Ｓｔｙｒｅｎｅ）樹脂等の光反射性を有する着色樹脂から作製されている。なお、光反射片５４は、光反射性を有する金属箔から作製されていても良い。透明被膜は、透明なエポキシ樹脂から構成されている。
【００３０】
胴着部１２の両脇には、傾斜脇覆部６８が設けられている。本実施の形態に係る光反射ベスト１０では、胴着部１２が両脇付近で前方胴着部４６と後方胴着部４８とに分かれているが、これに代えて、胴着部１２の一方の脇のみで前方胴着部４６と後方胴着部４８とに分かれていても良い。また、本実施の形態に係る光反射ベスト１０では、傾斜脇覆部６８を胴着部１２の両脇に設けたが、これに代えて、胴着部１２の一方の脇にのみ傾斜脇覆部６８を設けても良い。
【００３１】
前方胴着部４６の胴囲方向の両端部の裏側には、一方の面ファスナー７０が、後方胴着部４８の胴囲方向の両端部の表側には、他方の面ファスナー７２が、それぞれ設けられている。このため、胴着部１２の両脇付近で、前方胴着部４６と後方胴着部４８とが、自在に接合および分離できる。なお、本明細書中の「裏」とは、着用者１１の体に接する側をいい、「表」とは、「裏」と反対側をいう。本実施の形態に係る光反射ベスト１０では、前方胴着部４６と後方胴着部４８とが、面ファスナー７０,７２によって接合および分離されているが、これに代えて、ベルト、ボタンまたはスナップ等によって接合および分離されても良い。
【００３２】
前方胴着部４６と後方胴着部４８との重なり部である第３重なり部７４の面積が大きくなるように、前方胴着部４６と後方胴着部４８とが接合されれば、胴着部１２のサイズは小さくなり、第３重なり部７４の面積が小さくなるように、前方胴着部４６と後方胴着部４８とが接合されれば、胴着部１２のサイズは大きくなる。すなわち、第３重なり部７４の面積が変更されるのに伴って、胴着部１２のサイズが変更される。このため、着用者１１の体の大きさ、または、着用季節に応じて、簡易に、光反射ベスト１０のサイズを調整することができる。
【００３３】
傾斜脇覆部６８は、柔軟なメッシュ素材から構成されている。また、傾斜脇覆部６８は、図３に示すように、表側面に第３光反射部７５を構成する光反射板７６と、光乱反射部７９とを備えている。光反射板７６は、光反射板５０と同様に、塩化ビニル樹脂、ポリエステル樹脂または表面に金属酸化物を焼付けたガラス等の光反射性を有する材質から作製されている。光乱反射部７９は、光反射片と、この光反射片を覆う透明被膜とから構成されている。傾斜脇覆部６８が表側面に光反射板７６および光乱反射部７９を備えているため、光反射ベスト１０の側方からの視認性を向上させることができる。
【００３４】
また、傾斜脇覆部６８は、着用者１１の上から下に向かって、胴囲が絞られるように形成されている。このため、光反射ベスト１０を着用したときに、傾斜脇覆部６８が着用者１１の体形（胴４４のボディライン）にフィットするようになる。したがって、着用者１１が動作しやすい。
【００３５】
図４は、光反射ベスト１０の着用者１１の胸部および腹部を開放して、光反射ベスト１０を平面状にした状態で、後方胴着部４８、傾斜脇覆部６８および前方胴着部４６を裏側から見た図である。なお、図４では、構成部品の一部およびメッシュ模様の全部を省略してある。傾斜脇覆部６８は、図４に示すように、後方胴着部４８の裏側に設けられたベルト通し７７を通過している。また、傾斜脇覆部６８は、一端（図４における右端）が前方胴着部４６に縫着されている。傾斜脇覆部６８の他端（図４における左端）には、傾斜脇覆部６８よりも幅が小さいベルト７８が接続されている。このベルト７８は、柔らかい素材から構成されている。ベルト７８は、後方胴着部４８の裏側に設けられたベルト通し８０を通過した後、その方向が変えられ、ベルト締め具８２によってその位置を固定されている。
【００３６】
つまり、傾斜脇覆部６８は、前方胴着部４６およびベルト締め具８２によって、胴着部１２に固定されることとなる。また、ベルト７８とベルト締め具８２を操作することによって、ベルト締め具８２に固定されるベルト７８の位置を調整できる。このため、傾斜脇覆部６８の表側面の露出面積が変更可能で、光反射ベスト１０のサイズ調整が容易である。胴着部１２に設けられたもう一方の傾斜脇覆部（不図示）も、傾斜脇覆部６８と同様の構成によって、胴着部１２に固定されている。
【００３７】
図５は、ベルト締め具８２およびベルト締め具８２で固定されたベルト７８の、ベルト７８の長手方向（図４のＸ−Ｘ線）に沿って切断したときの断面図である。図４および図５に示すように、２つの傾斜脇覆部６８,６８に接続されているそれぞれのベルト７８,７８は、ベルト締め具８２を通過して、ほぼ均等な長さでベルト締め具８２から突出している。このように、ベルト締め具８２によってベルト７８,７８の固定位置を調整しているため、ベルト締め具８２から突出しているベルト７８,７８の長さを揃えることができる。ベルト７８,７８の長さを揃えることによって、傾斜脇覆部６８，６８の露出面積を簡易に両脇で均等にすることができる。また、ベルト７８,７８の固定部品が、１つのベルト締め具８２のみで済む。
【００３８】
さらに、ベルト締め具８２自体がベルト７８,７８で固定されるため、ベルト締め具８２を胴着部１２等に固定する必要がない。なお、本実施の形態に係る光反射ベスト１０では、ベルト７８,７８をベルト締め具８２に通過させてその固定位置を調整しているが、これに代えて、傾斜脇覆部６８自体を、傾斜脇覆部６８の露出面積が変更可能となるように、胴着部１２に接続しても良い。傾斜脇覆部６８を、その露出面積が変更可能となるように、胴着部１２に接続する方法として、面ファスナーを用いる方法、または、胴着部１２に複数のボタンを設け、傾斜脇覆部６８に設けられたボタン孔に嵌め込む方法等が挙げられる。
【００３９】
図６は、光反射ベスト１０の袖部１４付近の外観図である。袖部１４は、柔軟なメッシュ素材から構成されている。ただし、袖部１４の表側面は、光反射板８３に覆われているため、表側からは、メッシュ形状は見えない。また、袖部１４は、図６に示すように、着用者１１の腕２０の上部を覆う円筒の一部形状を有している。また、袖部１４の着用者１１の腕２０に沿った両端には、袖支持軸８４が設けられている。
【００４０】
このため、着用者１１が腕２０を動かす際に、袖部１４は、胴着部１２または腕囲部２２の内側に滑らかに入り込むことができる。すなわち、袖部１４に袖支持軸８４を設けることによって、袖部１４が胴着部１２または腕囲部２２の内側に入り込みにくくなるような袖部１４自体の変形、例えば、袖部１４が着用者１１の腕２０の外方向に突出するように折れ曲がる変形を抑えることができる。この結果、着用者１１は腕２０をスムーズに動かすことができる。
【００４１】
袖部１４の表側には、第２光反射部２８を構成している光反射板８３が設けられている。光反射板８３も光反射板５０と同様に、塩化ビニル樹脂、ポリエステル樹脂または表面に金属酸化物を焼付けたガラス等の光反射性を有する材質から作製されている。なお、光反射板５０、光反射板７６および光反射板８３の色を変えて、その色使いによって光反射ベスト１０の側方からの視認性を向上させても良い。
【００４２】
袖支持軸８４は、この光反射板８３と袖部１４との間、すなわち、光反射板８３の裏側、かつ、袖部１４の表側の位置に、固定されて設けられている。より具体的には、光反射板８３が、着用者１１の腕２０の方向に沿って、袖部１４に線状に縫着されており、この縫着線８５と袖部１４の外縁８６との間に、袖支持軸８４が挿入されている。
【００４３】
図７は、袖支持軸８４を裏側（袖部１４に装着されたときの袖部１４の裏側）から見た外観図である。袖支持軸８４は、図７に示すように、プラスチック製の本体部８８と、ゴム片９０，９０とを備えている。本体部８８は、細長い板形状を有している。ゴム片９０，９０は、接着剤が塗布された本体部８８の両端に嵌め込まれ、本体部８８に固定されている。また、ゴム片９０，９０は、断面略凹形状を有していると共に、袖支持軸８４の端部に近づくにつれて、その厚みが緩やかに減少している。また、胴着部１２に近い方に配置されるゴム片９０は、着用者１１の体にフィットするように構成された光反射板８３の曲面に合わせて、その端部が斜めに形成されている。
【００４４】
ゴム片９０，９０の突出している縁部には、袖支持軸８４の長手と垂直方向に、複数の切り込み部９２が形成されている。このため、袖支持軸８４は、ゴム片９０，９０の部分で、着用者１１の腕２０の外方向に曲がりやすく、腕２０の内方向に曲がりにくくなっている。したがって、着用者１１が腕２０を動かして、袖部１４が胴着部１２および腕囲部２２に最大限入り込んだ状態となっても、着用者１１は、腕２０を上方向に容易に曲げることができる。
【００４５】
また、図６に示すように、袖部１４は、胴着部１２と袖部１４とが重なる部分（第１重なり部１６）が形成されるように、胴着部１２の裏側に縫着されて接続されている。本実施の形態に係る光反射ベスト１０では、袖部１４が胴着部１２の裏側に縫着されているが、これに代えて、袖部１４が胴着部１２の裏側にスナップ、ボタンまたは面ファスナー等によって接続されていても良い。特に、袖部１４が胴着部１２の裏側にスナップまたはボタン等の１箇所で接続されている場合、この接続箇所を支点として、袖部１４が着用者１１の肩に密着し、腕２０の動きに連動することができる。
【００４６】
図８は、胴着部１２を裏側から、袖部１４を表側から見たときの、胴着部１２と袖部１４との接続部付近の外観図である。すなわち、図８は、胴着部１２を上方向にまくった状態での、第１重なり部１６付近の図である。胴着部１２の裏側および袖部１４の表側には、図８に示すように、滑り部４０，４０が設けられている。
【００４７】
胴着部１２に設けられた滑り部４０は、その表面が、ナイロン、ポリエチレン、ポリエステルまたはポリテロラフルオロエチレンなどのフッ素樹脂等から作製されており、滑りやすくなっている。袖部１４に設けられた滑り部４０は、光反射板８３と兼用されている。上述したように、光反射板８３は、その表面が滑りやすい材質から作製されている。また、滑り部４０，４０は、胴着部１２を下げたときに、互いに重なり合う位置に設けられている。
【００４８】
両滑り部４０,４０の間の袖部１４のメッシュ素材の部分は、両側が縫い縮められ、曲面形状とされている。このため、このメッシュ素材の部分は、着用者１１の肩にフィットする。また、このメッシュ素材の部分は、胴着部１２に対して袖部１４を各種方向に動かすことができる可動部９３として作用している。すなわち、この可動部９３自体が、伸縮、ねじれ、または、歪みを起こすことによって、胴着部１２が固定されたままであっても、胴着部１２に接続されている袖部１４が各種方向に動く。
【００４９】
このように、着用者１１が光反射ベスト１０を着用した状態で胴着部１２および袖部１４の両滑り部４０,４０が互いに重なり合うので、また、可動部９３が変形しやすい構成をしているので、着用者１１が腕２０を動かしたときに、袖部１４（光反射板８３）が滑らかに動く。
【００５０】
図９は、光反射ベスト１０を平面状に展開した状態で、袖部１４を表側から、腕囲部２２を裏側から見たときの、袖部１４と腕囲部２２との連通部付近の外観図である。腕囲部２２は、図９に示すように、袖部１４の先端で一体に連通している。このため、光反射ベスト１０の製造工程において、腕囲部２２を袖部１４に接続する作業、例えば、縫着作業が不要となる。また、腕囲部２２は、着用者の腕が通過可能な分離部を有している。腕囲部２２の分離部には、面ファスナー９４,９４が設けられている。このように、面ファスナー９４,９４によって、腕囲部２２が接合および分離自在に構成されているため、着用者１１の腕２０の太さ、または、着用季節に応じて、腕囲部２２のサイズ調整が容易に可能となる。
【００５１】
光反射ベスト１０は、腕囲部２２が袖部１４の方向（図９の一点鎖線Ａを谷折り）に折り返された状態で着用される。腕囲部２２が袖部１４の方向に折り返されたときに、腕囲部２２と袖部１４とが重なる第２重なり部２４には、袖部１４と腕囲部２２とを互いに滑らせる第２滑り手段である滑り部４２,４２が設けられている。すなわち、滑り部４２,４２は、それぞれ袖部１４の表側および腕囲部２２の裏側に設けられている。なお、袖部１４に設けられた滑り部４２は、袖部１４に設けられた滑り部４０と同様に、光反射板８３と兼用されている。また、腕囲部２２に設けられた滑り部４２の表面は、胴着部１２に設けられた滑り部４０の表面と同じ素材で構成されている。
【００５２】
両滑り部４２,４２の間の袖部１４のメッシュ素材の部分は、腕囲部２２に対して袖部１４を各種方向に動かすことができる可動部９５として作用している。すなわち、この可動部９５自体が、伸縮、ねじれ、または、歪みを起こすことによって、腕囲部２２が固定されたままであっても、腕囲部２２と連通している袖部１４が各種方向に動く。
【００５３】
このように、着用者１１が光反射ベスト１０を着用した状態で袖部１４および腕囲部２２の両滑り部４２,４２が互いに重なり合うので、また、可動部９５が変形しやすい構成をしているので、着用者１１が腕２０を動かしたときに、袖部１４（光反射板８３）が滑らかに動く。
【００５４】
また、腕囲部２２の表側面には、第２光反射部２８が設けられている（図１参照）。腕囲部２２の表側面の第２光反射部２８は、光反射板と光反射片とを備えている（不図示）。このため、より一層、光反射ベスト１０の側方からの視認性を向上させることができる。なお、腕囲部２２の第２光反射部２８の光反射板に設けられている光反射片によって、標識が形成されていても良い。また、腕囲部２２の第２光反射部２８の光反射板に設けられている光反射片に、透明被膜を設けても良い。腕囲部２２の第２光反射部２８が、複数の光反射片で形成された標識と、この標識を覆う透明被膜とを有する場合、第１光反射部２６の光反射片５４で形成された標識５６と、標識５６を覆う透明被膜を設けないこともできる。
【００５５】
次に、光乱反射部５２の作製方法について説明する。
【００５６】
まず、光反射板５０の表面に、光反射片５４で表示したい標識５６（例えば、「ＰＯＬＩＣＥ」の文字）の形状に接着剤を塗布する。次に、光反射板５０の接着剤を塗布した部分およびその周辺に、複数の光反射片５４をふりかけて接着させる。なお、光反射片５４の色としては、金、銀、青、緑、赤または黄等が挙げられる。また、標識５６の種類は、文字に限定されない。標識５６としては、文字以外に、例えば、数字、記号、図形、絵画または写真等が挙げられる。
【００５７】
次に、光反射板５０にふりかけた光反射片５４のうち、光反射板５０に接着していない光反射片５４を、羽毛等を使って払い落とす。次に、光反射板５０に形成された光反射片５４の標識５６の表面に、透明被膜を形成する。具体的には、硬化後に透明となるエポキシ樹脂の液状原料を、光反射片５４の標識５６の表面に塗布して、乾燥・硬化させる。
【００５８】
以上、本発明の実施の形態について説明したが、本発明はこれ以外にも種々変形実施可能である。図１０は、本発明の他の実施の形態に係る光反射ベスト１００を展開して、着用者１１に着用されるときの上方から見た要部外観図である。なお、矢示Ｂが前方、矢示Ｃ方向が後方である。したがって、図１０では、着用者１１の左肩に載る部分の胴着部１２を表側から、着用者１１の左腕を覆う袖部１４を裏側から、着用者１１の左腕を囲む腕囲部２２を表側からそれぞれ見たときの状態を示している。
【００５９】
本実施の形態に係る光反射ベスト１０では、袖部１４は胴着部１２に縫着されているが、これに代えて、図１０に示すように、袖部１４と胴着部１２を連通させ、袖部１４を、胴着部１２の下を通過させて、矢示Ｄ方向に折り返して着用するように構成しても良い。この構成によって、光反射ベスト１００の製造工程において、袖部１４を胴着部１２に接続する作業、例えば、縫着作業が不要となる。また、着用者１１が激しい動作を行っても、袖部１４が胴着部１２から外れるおそれがほとんどなくなる。
【００６０】
また、本実施の形態に係る光反射ベスト１０では、袖部１４に設けられた滑り部４０および滑り部４２が光反射板８３と兼用されているが、これに代えて、袖部１４に設けられた滑り部４０または滑り部４２を、光反射板８３とは別部材で作製しても良い。
【００６１】
また、本実施の形態に係る光反射ベスト１０は、腕囲部２２と、第２重なり部２４と、第２滑り手段（滑り部４２，４２）と、を有しているが、これに代えて、光反射ベストは、腕囲部２２、第２重なり部２４および第２滑り手段（滑り部４２，４２）を有していなくても良い。裏側にベルト通しが設けられた腕章を着用者１１の腕２０に巻き、この腕章を安全ピン等で着衣に（例えば、２箇所で）固定し、袖部１４をこのベルト通しに通し、かつ、腕章と袖部１４とを滑りやすくすれば、腕囲部２２、第２重なり部２４および第２滑り手段（滑り部４２）を有していない光反射ベストであっても、袖部１４が着用者１１の腕２０と連動できる。
【００６２】
また、腕囲部２２、第２重なり部２４および第２滑り手段（滑り部４２）を有していない光反射ベストでは、袖部１４の面積を大きくし、袖部１４に設けられたベルト等に着衣に固定するなどして、袖部１４と着用者１１の腕２０との連動性を向上させても良い。これらのようにして、着用者１１が腕２０を動かしても、袖部１４が腕２０と連動できるようにすれば、側方からも視認しやすく、かつ、着用者が動作しやすい光反射ベストとなる。
【００６３】
また、他の発明として、胴着部と、この胴着部に設けられた光反射板と、この光反射板に設けられた複数の光反射片で形成された標識と、この標識を覆う透明被膜とを備えた光乱反射部と、を有する光反射ベスト等の光反射着衣が挙げられる。胴着部、光反射板、光反射片および透明被膜等として、本実施の形態に係る光反射ベスト１０と同じ物が使用できる。この発明では、光反射板と、光乱反射部との相乗効果によって、標識の認識度および視認性の向上が図れる。
【００６４】
また、他の発明として、脇部が切り欠かれた胴着部と、この切り欠かれた脇部に設けられ、着用者の上から下に向かって、胴囲が絞られるように形成されている傾斜脇覆部と、傾斜脇覆部の表面に設けられた光反射部と、を有する光反射ベスト等の光反射着衣が挙げられる。胴着部、傾斜脇覆部および光反射部等として、本実施の形態に係る光反射ベスト１０と同じ物が使用できる。この発明では、傾斜脇覆部が着用者の胴にフィットすると共に、着用者の側方の視認性を向上させることができる。
【産業上の利用可能性】
【００６５】
本発明は、再帰光反射を行う着衣に利用することが可能である。また、本発明は、夜間の道路工事、線路工事、交通整理または警察の交通違反の取り締まり等の夜間作業に利用することが可能である。
【図面の簡単な説明】
【００６６】
【図１】本発明の実施の形態に係る光反射ベストの正面図である。
【図２】図１の光反射ベストの背面図である
【図３】図１の光反射ベストの左側面図である。
【図４】図１の光反射ベストの後方胴着部、傾斜脇覆部および前方胴着部を裏側から見た外観図である。
【図５】図１の光反射ベストのベルト締め具およびベルト付近を、図４のＸ−Ｘ線で切断したときの断面図である。
【図６】図１の光反射ベストの左の袖部付近の外観図である。
【図７】図１の光反射ベストの袖支持軸を裏側から見た外観図である。
【図８】図１の光反射ベストの胴着部を裏側から、袖部を表側から見たときの、胴着部と袖部との接続部付近の外観図である。
【図９】図１の光反射ベストを平面状に展開した状態で、袖部を表側から、腕囲部を裏側から見たときの、袖部と腕囲部との連通部付近の外観図である。
【図１０】本発明の他の実施の形態に係る光反射ベストを展開して、着用者に着用されるときの上方から見た要部外観図である。
【符号の説明】
【００６７】
１０  光反射ベスト
１１  着用者
１２  胴着部
１４  袖部
１６  第１重なり部
２０  腕
２２  腕囲部
２４  第２重なり部
２６  第１光反射部
２８  第２光反射部
４０、４２  滑り部
４４  胴
４６  前方胴着部
４８  後方胴着部
５０  光反射板
５２  光乱反射部
５４  光反射片
５６  標識
６８  傾斜脇覆部
７４  第３重なり部
７５  第３光反射部
７６  光反射板
８３  光反射板
８４  袖支持軸
９３、９５  可動部
１００  光反射ベスト
【図１】
2007277731.tif 000003
【図２】
2007277731.tif 000004
【図３】
2007277731.tif 000005
【図４】
2007277731.tif 000006
【図５】
2007277731.tif 000007
【図６】
2007277731.tif 000008
【図７】
2007277731.tif 000009
【図８】
2007277731.tif 000010
【図９】
2007277731.tif 000011
【図１０】
2007277731.tif 000012